(57)【特許請求の範囲】
【請求項１】
互いの中心軸方向がほぼ平行となる状態でリンクによって鎖状に接続された複数の弾薬からなる弾薬列を収納するために第１乃至第４の内壁を有する弾薬箱であって、
対向する一対の第１及び第２の内壁のうちの第１の内壁から突出形成されるとともに第２の内壁との間に隙間を有する第１の仕切板，
前記第２の内壁から突出形成されるとともに前記第１の内壁との間に隙間を有し、前記第１の仕切板と平行に且つ交互に配置され、前記各弾薬の中心軸を前記各内壁と平行な方向に向けている前記弾薬列を一列だけ収納するための空間を前記第１の仕切板との間に有する第２の仕切板，
前記第１の内壁と前記第２の仕切板の先端との間に配置され、前記弾薬列を構成する弾薬を１個１個押し出すための歯を複数持つスプロケットを前記第２の仕切板の先端で回転駆動させることにより、前記第２の仕切板によって区切られた２つの空間のうちの一方の空間にある弾薬列を他方の空間へ押し出す第１の回転駆動部，
前記各仕切板に対して平行な第３の内壁とこの第３の内壁に隣接する前記第１又は第２の仕切板との間に形成される前記弾薬列一列分の空間を外部に貫通させるために、前記第１又は第２の内壁に形成されている給弾口，
前記各仕切板に対して平行で前記第３の内壁に対向する第４の内壁とこの第４の内壁に隣接する前記第１又は第２の仕切板との間に形成される前記弾薬列一列分の空間を外部に貫通させるために、前記第１又は第２の内壁に形成されている排弾口，及び、
前記第１及び第２の仕切板に対して直交する方向に中心軸を向けた状態で、前記第１及び第２の仕切板の間における前記弾薬列の底面が当たる床に回転自在に敷き詰められている複数の回転ローラ
を備えることを特徴とする弾薬箱。
【請求項２】
前記第１及び第２の仕切板の間に前記弾薬列を収納した場合に前記弾薬の肩部に当たるレール状のガイドを、前記第１及び第２の仕切板の側面に、更に備える
ことを特徴とする請求項１記載の弾薬箱。
【請求項３】
前記弾薬列を構成する弾薬を１個１個押し出すための歯を複数持つスプロケットを有し、前記スプロケットを回転駆動させることにより、前記弾薬列を前記排弾口から外部へ押し出す第２の回転駆動部を、前記排弾口の近傍に、更に備える
ことを特徴とする請求項１又は２記載の弾薬箱。
【請求項４】
前記各第１の回転駆動部及び前記第２の回転駆動部が、同一のモータの回転力により駆動される
ことを特徴とする請求項３記載の弾薬箱。
【請求項５】
前記給弾口の近傍に着脱自在に装着される枠体，前記給弾口から内部に前記弾薬列を装填するために前記枠体に回転自在に保持されるスプロケット，前記枠体に回転自在に保持された回転軸に回転力を与えるためにその回転軸に固定されているハンドル，及び、そのハンドルを介して前記回転軸に与えられる回転力を前記スプロケットに伝達するためのギア機構を有する装填補助具
を更に備えることを特徴とする請求項１乃至４の何れかに記載の弾薬箱。
【請求項６】
前記ギア機構は、前記枠体に回転自在に保持されたスプロケットの中心軸に固定される第１ギアと、前記枠体に回転自在に保持された前記回転軸に固定される第２ギアとからなる
ことを特徴とする請求項５記載の弾薬箱。
【請求項７】
前記第１の仕切板の両側にある第２の仕切板とこれら第２の仕切板に接する内壁とによりなる壁面が、円柱面状に湾曲形成されている
ことを特徴とする請求項１乃至５の何れかに記載の弾薬箱。
【請求項８】
前記第１の仕切板の先端が、円柱面状に形成されている
ことを特徴とする請求項１乃至６の何れかに記載の弾薬箱。
【請求項９】
前記第２の仕切板の両側にある第１の仕切板とこれら第１の仕切板に接する内壁とによりなる壁面が、当該円柱面と同軸の円柱面となるように、湾曲形成されている
ことを特徴とする請求項１乃至７の何れかに記載の弾薬箱。
【発明の詳細な説明】
【０００１】
【発明の属する技術分野】
本発明は、戦闘用ヘリコプターなどの戦闘用航空機に搭載される機関砲に給弾される弾薬を収納するための弾薬箱に、関する。
【０００２】
【従来の技術】
一般に、戦闘用の航空機，車輛，船舶，ホバークラフト等に搭載される機関砲には、弾薬を自動的に供給するための給弾装置が備えられている。この給弾装置は、射手により引き金が引かれて機関砲から弾が連続的に発射されると、弾薬箱に収納された弾薬を機関砲の装弾部に次々搬送する。その機関砲に供給される弾薬としては、全ての弾を、その中心軸を同じ方向に向けた状態で、リンクと呼ばれる金属ベルトによって数珠繋ぎのように連続的に繋いだものがある。このような弾の繋ぎ方は、リンクベルト方式と呼ばれており、このリンクベルト方式を採用することにより、弾薬箱の中で弾薬がバラバラになることがなくなる。また、１つの弾薬を弾薬箱から引き出せば、その弾薬にリンクを介して繋がれた弾薬も続いて引き出されることとなるために、弾薬箱から弾薬を１個１個引き出すための機構が備えられていなくても、給弾装置に簡単に弾薬を引き込ませることができるという利点もある。なお、リンクで繋がれた複数の弾薬は、全体的には帯状の弾薬列となっており、弾薬箱内では折り畳まれた状態で収納される。
【０００３】
【本発明が解決しようとする課題】
しかしながら、上述したような弾薬箱が、飛行姿勢が水平面に対して安定することがない例えば戦闘用ヘリコプターのような戦闘用航空機に搭載された場合、弾薬箱の中で弾薬列全体が自由に動いて収納状態が変化することにより、リンク同士が引っ掛かったり弾薬列の向きが変わってしまうことがある。そのため、弾薬列を給弾装置にうまく引き込めなくなることがあった。
【０００４】
然も、弾薬列を弾薬箱内で折り畳むように収納するには熟練を必要とし、また、その弾薬箱内に所定量の弾薬を収納するには時間が掛かるので、需要者の間では、手早く簡単に収納作業を行いたいとの要望もある。
【０００５】
本発明は、上述したような問題点に鑑みてなされたものであり、その課題は、戦闘用航空機の姿勢が変化する場合でも、リンクベルト方式で繋がれた複数の弾薬からなる弾薬列の収納状態を著しく変化させることなく、その弾薬列の正確な送出を可能とするとともに、その弾薬列を熟練者でなくとも手早く簡単に収納可能にする弾薬箱を、提供することである。
【０００６】
【課題を解決するための手段】
上記の課題を達成するために発明された弾薬箱は、互いの中心軸方向がほぼ平行となる状態でリンクによって鎖状に接続された複数の弾薬からなる弾薬列を収納するために第１乃至第４の内壁を有する弾薬箱であって、対向する一対の第１及び第２の内壁のうちの第１の内壁から突出形成されるとともに第２の内壁との間に隙間を有する第１の仕切板，前記第２の内壁から突出形成されるとともに前記第１の内壁との間に隙間を有し、前記第１の仕切板と平行に且つ交互に配置され、前記各弾薬の中心軸を前記各内壁と平行な方向に向けている前記弾薬列を一列だけ収納するための空間を前記第１の仕切板との間に有する第２の仕切板，前記第１の内壁と前記第２の仕切板の先端との間に配置され、前記弾薬列を構成する弾薬を１個１個押し出すための歯を複数持つスプロケットを前記第２の仕切板の先端で回転駆動させることにより、前記第２の仕切板によって区切られた２つの空間のうちの一方の空間にある弾薬列を他方の空間へ押し出す第１の回転駆動部，前記各仕切板に対して平行な第３の内壁とこの第３の内壁に隣接する前記第１又は第２の仕切板との間に形成される前記弾薬列一列分の空間を外部に貫通させるために、前記第１又は第２の内壁に形成されている給弾口，前記各仕切板に対して平行で前記第３の内壁に対向する第４の内壁とこの第４の内壁に隣接する前記第１又は第２の仕切板との間に形成される前記弾薬列一列分の空間を外部に貫通させるために、前記第１又は第２の内壁に形成されている排弾口，及び、前記第１及び第２の仕切板に対して直交する方向に中心軸を向けた状態で、前記第１及び第２の仕切板の間における前記弾薬列の底面が当たる床に回転自在に敷き詰められている複数の回転ローラを備えることを、特徴としている。
【０００７】
このように構成したことにより、弾薬列は、給弾口から内部へ挿入されたときに、内壁と第１又は第２の仕切板との間を進行し、第１又は第２の仕切板の先端で進行方向が反転され、その仕切板によって区切られた空間のうちの自己が進行してきた空間とは反対側の空間へ、進行するようになる。その弾薬列は、内部にさらに押し入れられると、交互に配置された第１の仕切板と第２の仕切板の夫々の先端において繰り返し進行方向が反転されながら、第１及び第２の仕切板の間の空間を順次進行し、最終的に、給弾口がある側とは反対側の内壁とこの内壁に隣接する第１又は第２の仕切板との間を進行して、排弾口から外部へ排出されるようになる。なお、このとき、弾薬列は、第１及び第２の仕切板の間の床に敷き詰められた回転ローラの上に載置されているため、その空間を進行する際には、滑らかに移動することとなる。
【０００８】
このようにして内部に装填された弾薬列は、第１の仕切板と第２の仕切板との間及び各内壁とその内壁に隣接する仕切板との間に収納されるので、戦闘用航空機に搭載されることによって姿勢が変化した場合でも、リンク同士が引っ掛かったり、弾薬列の向きが変わったりすることがない。また、給弾口から弾薬列を押し込むだけで手早く簡単に弾薬列を収納することができる。
【０００９】
なお、本発明の弾薬箱においては、第１の回転駆動部が、第２の仕切板の先端に備えられるとしたが、第１の仕切板の先端に備えられていても良いし、第１の仕切板の先端と第２の仕切板の先端の両方に備えられていても良い。
【００１０】
また、本発明の弾薬箱においては、排弾口から外部へ弾薬列を押し出すための第２の回転駆動部が、排弾口の近傍に備えられていても良いし、備えられていなくても良い。この第２の回転駆動部は、第１の回転駆動部と同様に、スプロケットを回転駆動させることによって弾薬列を押し出すものとすることができる。
【００１１】
ここで、第１及び第２の回転駆動部は、同じモータによって駆動されても良いし、夫々に備えられたモータによって別個に駆動されても良いが、弾薬箱の軽量化及び部品点数の減少化の観点からは、共通のモータによって駆動された方が望ましい。
【００１２】
さらに、本発明の弾薬箱においては、第１の仕切板の先端の周囲に、その第１の仕切板によって区切られた空間を滑らかに繋ぐためのＵ字状の空間が形成されていても良い。すなわち、第１の仕切板の両側にある第２の仕切板とこれら第２の仕切板に接する内壁とによりなる壁面が、当該円柱面と同軸の円柱面となるように湾曲形成されていても良い。この場合、第１の仕切板の先端が、円柱面状に形成されていると、なおのこと良い。また、第２の仕切板の両側にある第１の仕切板とこれら第１の仕切板に接する内壁とによりなる壁面が、円柱面状に湾曲形成されることによって、その第２の仕切板によって区切られた空間を滑らかに繋ぐためのＵ字状の空間が、その第２の仕切板の先端の周囲に形成されていても良い。
【００１３】
【発明の実施の形態】
本発明の弾薬箱は、機関砲に対して弾薬を搬送する給弾装置に接続された状態で、或いは、直接機関砲に接続された状態で、戦闘用ヘリコプター等の戦闘用航空機に搭載されて使用されるものである。以下、本発明の弾薬箱の実施の形態について、図を参照しながら説明する。なお、図１に、本実施形態の弾薬箱１０全体の斜視図（一部透視図）を示しているが、便宜上、本実施形態の弾薬箱１０よりも先に、この弾薬箱１０に収納される弾薬２０について説明する。
【００１４】
図１に示される弾薬箱１０の内部に収納される複数の弾薬２０は、図２（ａ）の上面図及び図２（ｂ）の側面図に示されるように、各々に備えられるリンクによって数珠繋ぎとなるように連結されている。
【００１５】
具体的には、そのリンクは、円筒を中心軸に沿って半分に切断した形状とほぼ等価な半円筒形状（正確には、軸方向に直交する断面での形状は、その中心角が１８０°の円弧では無く、１８０°よりも若干大きい円弧である）を有するコネクティングループ２１と、コネクティングループ２１に覆い被さるようにして弾薬２０の薬莢部２０ａに取り付けられる略半円筒形状のリテーニングループ２２とを、有している。このうちのコネクティングループ２１には、図２における左隣の弾薬２０用のリテーニングループ２２に引っ掛けるためのフック２１ａが形成されている。また、リテーニングループ２２には、コネクティングループ２１に覆い被さるようにして弾薬２０の薬莢部２０ａに取り付けられた際にコネクティングループ２１のフック２１ａを露出させるための開口部２２ａと、この開口部２２ａから露出するフック２１とは中心軸を挟んで反対側において図２の右隣に位置する弾薬２０のフック２１ａが引っ掛けられる接続部２２ｂとが、形成されている。
【００１６】
そして、リテーニングループ２２の開口部２２ａから露出するフック２１ａが、他の弾薬２０に取り付けられたリテーニングループ２２の接続部２２ｂに引っ掛けられることによって、弾薬２０同士が、互いの中心軸方向がほぼ平行となる状態で接続されている。このようにリンクによって連結されることにより、複数の弾薬２０は、全体的には、帯状となっている。また、リンクによって互いに接続された隣接する２つの弾薬２０同士は、他の弾薬２０との接続部分（フック２１ａ近傍）を中心として、若干の中心角の範囲において相対的に回転可能となるように、保持されている。従って、リンクによって連結されて帯状となった複数の弾薬（弾薬列）は、全ての弾薬２０の中心軸を一定方向に向けた状態で湾曲させることが可能なものとなっている。
【００１７】
本実施形態の弾薬箱１０は、図２に示されるようにリンクにて連結された弾薬列を収納するためのケースであり、図１に示されるように、複数の仕切板１１，１２と、複数のスプロケット１４と、駆動部１５と、給弾口１６と、排弾口１７とを、有している。この弾薬箱１０は、内部の上下方向（図１の紙面内における上下方向）における幅が弾薬の中心軸方向の長さとほぼ同じ長さ（正確には、その長さより若干大きい長さ）である箱型に、形成されており、アルミニウムや樹脂等の軽量且つ堅牢な材質からなっている。また、この弾薬箱１０の上面は、取り外し可能な蓋１０ａとして形成されている。この蓋１０ａは、ネジ止めされることによって常時固定されており、弾薬箱１０内部をメインテナンスする際に取り外される。なお、以下においては、便宜上、図１の紙面内における左下方と右上方とを結ぶ方向を「前後方向」とし、図１の左下方を「前方」とする。また、図１の紙面内における左上方と右下方とを結ぶ方向を「左右方向」とし、図１の左上方を「右方」とする。
【００１８】
仕切板１１は、前側の内壁から後方に向かって突出形成された平板であり、仕切板１２は、後側の内壁から前方に向かって突出形成された平板である。仕切板１１と仕切板１２は、互いに平行に且つ交互に、配置されており、更に、左右側の内壁と平行になるようにも配置されている。図３（ａ）に、仕切板１１，１２間に弾薬２０が収納された状態における前後方向に直交する平面に沿った断面図を示す。この図３（ａ）に示されるように、仕切板１１と仕切板１２との間の間隔は、弾薬２０の１個分の幅より若干量だけ大きい長さ、より具体的には、弾薬２０の周囲にリンクを取り付けた状態で弾薬２０を収納可能な大きさとなっている。図３（ｂ）に、仕切板１１，１２間に弾薬２０が収納された状態における前後方向に沿った断面図を示す。この図３（ｂ）に示されるように、仕切板１１，１２の間の床には、左右方向に中心軸が向けられた回転ローラ１３が、一定間隔で多数設置されている。各回転ローラ１３は、回転可能に保持されており、その上端がほぼ同一平面内に含まれるように、配置されている。これら回転ローラ１３の上に弾薬列が載置されてその弾薬列が前後方向に押し出された場合、これら回転ローラ１３が回転することによって、弾薬列を滑らかに移動させる。
【００１９】
なお、図３（ａ）及び図３（ｂ）の両図に示されるように、仕切板１１及び仕切板１２の側面には、前後方向に沿って延びるレール状のガイド１１ａ，１２ａが、突出形成されている。このガイド１１ａ，１２ａは、仕切板１１，１２間の床面（即ち回転ローラ１３上）に弾薬列が載置されたときの弾薬２０の肩部２０ｃと同じ高さに配置されており、ガイド１１ａとガイド１２ａとの間隔は、弾薬２０の薬莢部２０ａの直径より狭く、且つ、弾薬２０の弾頭部２０ｂの直径より広い。これにより、仕切板１１，１２間に収納された弾薬列は、弾薬箱１０に衝撃が加わったり弾薬箱１０全体が傾いたり上下が逆さまになった場合でも、肩部２０ｃがガイド１１ａ，１２ａに引っ掛かるために、収納状態を著しく変化させるように動き回ることがない。
【００２０】
前側の内壁から突出する仕切板１１によって区切られた２つの空間は、この仕切板１１の後側の端部が弾薬箱１０の内部の後側内壁から所定距離だけ離れていることによって通じている。図４（ａ）に、上下方向に直交する平面に沿った仕切板１１の後端部周辺の断面図を示す。この図４（ａ）に示されるように、この仕切板１１の後端部は、中心軸が上下方向に向けられた円柱面状に形成されている。また、仕切板１１の両側にある２つの仕切板１２とこれら仕切板１２に接合する後側内壁とによって形成されるコ字状の壁面が、仕切板１１の後端部の円柱面と同軸の円柱面状となるように、湾曲形成されている。これにより、仕切板１１によって区切られた２つの空間のうちの一方の空間に収納された弾薬列は、後側の内壁へ押し出された際には、仕切板１１の後端部周辺のＵ字状の空間に沿って進行することによって進行方向を前方へ反転させられた後、他方の空間に進入する。なお、この仕切板１１の後端部周辺には、フッ素樹脂がコーティングされており、弾薬列がＵ字状の空間を進行する際に生ずる摩擦が軽減されている。また、この仕切板１１の後端部周辺の床には、仕切板１１，１２間の床面に敷き詰められている回転ローラ１３の上端と同じ高さの床面が、形成されているが、仕切板１１の後端部を中心として放射状に中心軸が向けられた複数の回転ローラが、敷き詰められていても良い。
【００２１】
後側の内壁から突出する仕切板１２によって区切られた２つの空間は、この仕切板１２の前側の端部が弾薬箱１０の内部の前側内壁から所定距離だけ離れていることによって通じている。図４（ｂ）に、上下方向に直交する平面に沿った仕切板１２の前端部周辺の断面図を示す。この図４（ｂ）に示されるように、仕切板１２の両側にある２つの仕切板１１とこれら仕切板１１に接合する前側内壁とによって形成されるコ字状の壁面が、円柱面状となるように湾曲形成されている。また、この仕切板１２の前端部の近傍には、リンクによって鎖状に連結された弾薬列を移動させるためのスプロケット（鎖歯車）１４が、上記円柱面と同軸になる状態で、回転可能に取り付けられている。これにより、仕切板１２によって区切られた２つの空間のうちの一方の空間に収納された弾薬列は、前側の内壁へ押し出された際には、後述する駆動部１５によって駆動されるスプロケット１４の歯の１つ１つに弾薬２０を１個ずつ引っ掛けられながらスプロケット１４の周囲の円柱面に沿って押し出されることによって進行方向を後方へ反転させられた後、他方の空間に進入する。
【００２２】
複数の仕切板１１のうちの最も左側に配置されている仕切板１１は、仕切板１２との間にある空間と同じ大きさの空間を、弾薬箱１０の左側の内壁との間に有している。また、弾薬箱１０の左側の内壁には、図３（ａ）及び（ｂ）に示されるようなガイドが形成されているとともに、この仕切板１１と弾薬箱１０の左側の内壁との間には、図３（ａ）及び（ｂ）に示されるような回転ローラ１３も敷き詰められている。さらに、この仕切板１１と弾薬箱１０の左側の内壁との空間は、図１に示されるように、弾薬箱１０の前面に形成された給弾口１６において、弾薬箱１０の外部と通じている。これにより、この給弾口１６から弾薬列が挿入された場合には、その弾薬列は、この仕切板１１と弾薬箱１０の左側の内壁との間の空間に進入する。
【００２３】
また、複数の仕切板１１のうちの最も右側に配置されている仕切板１１は、仕切板１１との間にある空間と同じ大きさの空間を、弾薬箱１０の右側の内壁との間に有している。また、弾薬箱１０の右側の内壁には、図３（ａ）及び（ｂ）に示されるようなガイドが形成されているとともに、この仕切板１１と弾薬箱１０の右側の内壁との間には、図３（ａ）及び（ｂ）に示されるような回転ローラ１３も敷き詰められている。さらに、この仕切板１１と弾薬箱１０の右側の内壁との空間は、図１に示されるように、弾薬箱１０の前面に形成された排弾口１７において、弾薬箱１０の外部と通じている。これにより、仕切板１１と弾薬箱１０の右側の内壁との間を前方に向かって移動する弾薬列は、この排弾口１７から弾薬箱１０の外部へ押し出される。
【００２４】
さらに、弾薬箱１０の右側の内壁に隣接する仕切板１１は、前側の内壁とは接合されておらず、その仕切板１１の前端部は、前側の内壁から所定距離だけ離れている。そして、この仕切板１１の前端部と前側の内壁との間には、後述する駆動部１５のスプロケット１５ａが、その中心軸を上下方向に向けた状態で、配置されている。
【００２５】
その駆動部１５は、上記のスプロケット１５ａと、このスプロケット１５ａの中心軸の先端にてこの中心軸と同軸に固定された平歯車１５ｂと、モータ１５ｃと、このモータ１５ｃの駆動軸の先端に固定されるとともに平歯車１５ｂに噛み合わされたピニオン１５ｄとを、有する。スプロケット１５ａは、仕切板１１と弾薬箱１０の右側の内壁との間に収納される弾薬列を、排弾口１７から外部へ押し出すための鎖歯車であり、平歯車１５ａ及びピニオン１５ｃを介してモータ１４ｂによって回転駆動された際には、歯の１つ１つに弾薬２０を１個ずつ引っ掛けながら、弾薬列を排弾口１７へ押し出す。なお、本実施形態の弾薬箱１０では、駆動部の仕切板１２の前端部近傍に配置されるスプロケット１４に駆動部１５のモータ１５ｃの回転を伝達するための図示せぬギア機構も、備えられている。これにより、この弾薬箱１０に弾薬列が収納された場合に、駆動部１５が駆動すると、スプロケット１５ａによって弾薬列が排弾口１７へ押し出されるとともに、各スプロケット１４によっても弾薬列が押し出される。このように、各スプロケット１４をも駆動させる構成とすることにより、スプロケット１５ａのみで弾薬列を引き出す場合に比べると、スプロケット１５ａに掛かる負担が軽減される。
【００２６】
ところで、本実施形態の弾薬箱１０の排弾口１７には、この排弾口１７と同じ形状及び同じ大きさの四角形の断面形状を有する筒状の送弾ガイド１８が着脱可能に取り付けられている。この送弾ガイド１８は、図示せぬ給弾装置に接続されており、排弾口１７から排出された弾薬列を給弾装置までガイドする。
【００２７】
また、この送弾ガイド１８の弾薬箱１０近傍には、途中排弾機構１９が取り付けられている。この途中排弾機構１９は、弾薬２０を取り出すことができる大きさの開口部を側面に有しており、弾薬箱１０に収納されている弾薬列を弾薬箱１０内から引き出すために、使用される。
【００２８】
そして、この送弾ガイド１８を介して図示せぬ給弾装置と接続された弾薬箱１０は、図示せぬ戦闘用航空機に搭載されて使用される。このとき、弾薬箱１０の駆動部１５には、図示せぬ機関砲の制御部と接続された図示せぬケーブルが繋がれ、図示せぬ機関砲の引き金が引かれたときに生成されるトリガー信号（パルス信号）が図示せぬケーブルを介して伝達される。そして、この駆動部１５は、１パルス毎に所定量ずつスプロケット１５ａを回転させるように、モータ１５ｃを駆動する。これにより、図示せぬ機関砲の装弾部で弾薬２０が１個装弾されると同時に、排弾口１７から送弾ガイド１８へ、弾薬２０が１個送り出される。
【００２９】
以上に示した弾薬箱１０に、図２に示した弾薬列を収納する際には、作業者は、弾薬列を給弾口１６から弾薬列を挿入し、次々と押し入れれば良い。すると、その弾薬列は、仕切板１１の後端部で進行方向が反転されるとともに、仕切板１１を挟んで反対側の空間内を前側に向かって進行し、また、仕切板１１に隣接する仕切板１２の前端部で進行方向が反転されるとともに、その仕切板１２を挟んで反対側の空間内において後側に向かって進行する。給弾口１６から次々と押し入れられる弾薬列は、前後方向にて往復するようにして仕切板１１，１２間の空間を次々進行しながら仕切板１１，１２間に充填される。そして、最終的に、弾薬箱１０の右側の内壁と仕切板１１との間の空間に到達した弾薬列は、排弾口１７から弾薬箱１０の外部へ排出される。以上のようにして、弾薬箱１０の内部には弾薬列が収納される。
【００３０】
なお、本実施形態の弾薬箱１０では、作業者が手で弾薬列を給弾口１６に押し入れることによって弾薬列を装填しても良いが、図５に示されるような装填補助具３０を用いて弾薬列を装填することもできる。この装填補助具３０は、弾薬列が挿入される筒状のガイド３１と、このガイド３１が固定される枠体３２と、この枠体３２に回転可能に保持された回転軸の先端に固定されたハンドル３３と、このハンドル３３の回転軸に同軸にて固定された歯車３４と、その歯車３４に噛み合わされた平歯車３５と、この平歯車３５を先端に有するとともに枠体に回転可能に保持されたスプロケット３６とを、有している。また、装填補助具３０の枠体３２には、給弾口１６の周囲に形成された溝１０ｂ，１０ｃに填め込まれる突起３２ａ，３２ｂが形成されている。
【００３１】
そして、給弾口１６の周囲の溝１０ｂ，１０ｃに枠体３２の突起３２ａ，３２ｂが填め込まれつつ、装填補助具３０の枠体３２が弾薬箱１０の給弾口１６に取り付けられた後、ガイド３１に弾薬列を挿入してハンドル３３を回せば、スプロケット３６に押し出された弾薬列が、装填補助具３０から給弾口１６へ収納される。このように、装填補助具３０を用いることにより、ハンドル３３を回すだけで簡単に弾薬列を弾薬箱１０内に装填することもできる。
【００３２】
以上に示したように、本実施形態の弾薬箱１０は、その内部の空間が複数の仕切板１１，１２によって区切られているために、戦闘用航空機に搭載された場合にその航空機の姿勢が変化したときであっても、リンクにて連結された弾薬列の収納状態が著しく変化したり、リンク同士が引っ掛かったりすることがない。
【００３３】
また、仕切板１１，１２の側面には、ガイド１１ａ，１２ａが形成されているので、弾薬箱１０がたとえひっくり返った場合でも、弾薬２０の肩部２０ｃがガイド１１ａ，１２ａに引っ掛かり、弾薬列の収納姿勢が殆ど変化することがない。
【００３４】
さらに、給弾口１６から弾薬列を押し入れるだけで、手早く簡単に弾薬箱１０に弾薬列を装填することができ、然も、装填補助具を用いればより手早く簡単に装填作業を行うこともできる。
【００３５】
【発明の効果】
以上に説明したように、本発明によると、戦闘用航空機の姿勢が変化する場合でも、リンクベルト方式で繋がれた複数の弾薬からなる弾薬列の収納状態を、殆ど変化させることがない。そのため、弾薬列の正確な送出を可能とする。また、その弾薬列を熟練者でなくとも手早く簡単に収納することができる。
【図面の簡単な説明】
【図１】  本発明の実施の形態である弾薬箱の斜視図
【図２】  図１の弾薬箱に収容される弾薬列の（ａ）上面図および（ｂ）側面図
【図３】  図１の弾薬箱における（ａ）２枚の仕切板の間の断面図および（ｂ）仕切板と平行な平面に沿った断面図
【図４】  図１の弾薬箱に収容された弾薬に対して直交する平面に沿った（ａ）仕切板の後端部周辺および（ｂ）仕切板の前端部周辺の断面図
【図５】  図１の弾薬箱に取り付けられる装填補助具の斜視図
【符号の説明】
１０            弾薬箱
１１，１２      仕切板
１１ａ，１２ａ  ガイド
１３            回転ローラ
１４            スプロケット
１５            駆動部
１５ａ          スプロケット
１５ｂ          平歯車
１５ｃ          モータ
１５ｄ          ピニオン
１６            給弾口
１７            排弾口
１８            送弾ガイド
１９            途中排弾機構
２０            弾薬
２０ａ          薬莢部
２０ｂ          弾頭部
２０ｃ          肩部
２１            コネクティングループ
２２            リテーニングループ
３０            装填補助具
【図１】
0003735275.tif 000002
【図２】
0003735275.tif 000003
【図３】
0003735275.tif 000004
【図４】
0003735275.tif 000005
【図５】
0003735275.tif 000006